(57)【要約】【課題】  ＭＤＦに使用しても、ＭＤＦが割れることのない木ねじを提供する。【解決手段】  円柱状の軸体１１と、該軸体の外周面に螺旋状に形成されたねじ込み用のねじ山１４と、該軸体の元端に形成された頭部１２と、前記軸体の先端側に徐々に径が減少して尖った先端１１ａに達するテーパー状の先端部１１ｂと、を有し、前記ねじ山１４が前記先端まで形成された木ねじにおいて、少なくとも前記先端部１１ｂの一部を含む部分に、前記ねじ山よりリード角の大きい第２のねじ山１５を形成したことを特徴とする木ねじ。【選択図】      図１
2010185498.tif 000002
【特許請求の範囲】
【請求項１】
円柱状の軸体と、該軸体の外周面に螺旋状に形成されたねじ込み用のねじ山と、該軸体の元端に形成された頭部と、前記軸体の先端側に徐々に径が減少して尖った先端に達するテーパー状の先端部と、を有し、前記ねじ山が前記先端まで形成された木ねじにおいて、少なくとも前記先端部の一部を含む部分に、前記ねじ山よりリード角の大きい第２のねじ山を形成したことを特徴とする木ねじ。
【請求項２】
前記第２のねじ山が、前記先端まで形成されていることを特徴とする請求項１に記載の木ねじ。
【請求項３】
前記第２のねじ山が、前記先端部の途中まで形成されていることを特徴とする請求項１に記載の木ねじ。
【請求項４】
前記掘削用ねじ山の山径が、前記ねじ山の山径と同じか或いは小さいことを特徴とする請求項１から３のいずれかに記載の木ねじ。
【発明の詳細な説明】
【技術分野】
【０００１】
本発明は木ねじに関し、特に、ＭＤＦ（中密度繊維板）に適した木ねじに関する。
【背景技術】
【０００２】
ＭＤＦは、木材を繊維状にほぐし、接着剤などを配合してボードに成型した「繊維板」の一種である。木質資源の有効活用を図るために発達したものであるが、近年、その優れた品質特性から注目されている。
【０００３】
ＭＤＦの特徴としては、バラツキが少なく、安定した強度と物性を備えている。また、反り、ねじれが生じにくい。複雑な形状への加工が容易にできる。節や木目が無く、均質で硬い材質である。表面平滑性が良好で、表面化粧しやすい。等々の利点がある。
【０００４】
ＭＤＦ同士は、木ねじで結合される場合も多いが、従来は、特に、ＭＤＦ用の木ねじというものはなく、通常の木ねじが使用されていた。
【０００５】
図３は、従来の木ねじの構成例を示す図である。同図に示す木ねじ１０は、円柱形の軸体１１の一端に頭部１２があり、軸体１１の元端側となる頭部１２側に、ローレット部１３が軸方向に３箇所に分割して形成されている。軸体１１のローレット部１３より先端側には、ねじ込み用の雄のねじ山１４が形成されている。軸体１１の先端側には、直径が徐々に小さくなり鋭利に尖った先端１１ａに達するテーパ状の先端部１１ｂがあり、ねじ山１４は、この尖った先端１１ａまで形成されている。頭部１２には図示しないが、公知の十字穴があり、ここにドライバビットを差し込んで、木ねじ１０を回転してＭＤＦなどにねじ込むようになっている。ねじ込みが進み、ローレット部１３の部分がＭＤＦに達すると、この部分ではＭＤＦと木ねじ１０との接触面積が小さくなり、ねじ込みのトルクを下げるように作用する。
【０００６】
図４は、このような木ねじ１０を、ＭＤＦの板に使用した状態を示す図で、（ａ）は側面図、（ｂ）は平面図である。
【０００７】
図４に示すように、２枚のＭＤＦの板２１、２２を直角に結合する場合、垂直方向のＭＤＦの板２２の端面に水平方向のＭＤＦの板２２の端部を直角に突き合わせる。そして、ドライバ２３で木ねじ１０を押し付けて回転を与え、図４（ａ）に示すように、木ねじ１０をねじ込む。木ねじ１０の頭部１２が上のＭＤＦの板２１の面と面一になると、ねじ込みが完了する。この例では、２本の木ねじ１０で結合している。
【発明の概要】
【発明が解決しようとする課題】
【０００８】
しかしながら、従来の木ねじでは、図４（ｂ）に示す様に、ＭＤＦの板２１に割れ２１ａが発生し易いという問題があった。割れが発生すると、板２１と板２２との結合力が低下することになる。また、このような「割れ」は、垂直方向のＭＤＦの板２２の方に発生することもある。
【０００９】
本発明は、このような問題を解決し、ＭＤＦに使用しても「割れ」が生じない木ねじを提供することを目的としている。
【課題を解決するための手段】
【００１０】
上記の目的を達成するために本発明の木ねじは、円柱状の軸体と、該軸体の外周面に螺旋状に形成されたねじ込み用のねじ山と、該軸体の元端に形成された頭部と、前記軸体の先端側に徐々に径が減少して尖った先端に達する先端部と、を有し、前記ねじ山が前記先端まで形成された木ねじにおいて、少なくとも前記先端部の一部を含む部分に、前記ねじ山よりリード角の大きい第２のねじ山を形成したことを特徴としている。
【００１１】
前記第２のねじ山が、前記先端まで形成されている構成としたり、前記第２のねじ山が、前記先端部の途中まで形成されている構成としたり、前記掘削用ねじ山の山径が、前記ねじ山の山径と同じか或いは小さい構成としたりすることができる。
【発明の効果】
【００１２】
本発明の木ねじは、ＭＤＦにねじ込むと、第２のねじ山がＭＤＦを切削し、ねじ込み用のねじ山が、切削された箇所にねじ込まれながら進んでいく。第２のねじ山の切削により木ねじがねじ込む際の抵抗力が小さくなり、ＭＤＦが割れにくくなる、という優れた効果を奏する。
【図面の簡単な説明】
【００１３】
【図１】本発明の木ねじの正面図である。
【図２】本発明の木ねじについて、ねじ込み用のねじ山と、第２のねじ山とを別々に描いたもので、（ａ）はねじ込み用のねじ山の図、（ｂ）は第２のねじ山の図、（ｃ）は両者を合成した本発明の木ねじの要部拡大図である。
【図３】従来の木ねじの構成例を示す図である。
【図４】従来の木ねじを、ＭＤＦの板に使用した状態を示す図で、（ａ）は側面図、（ｂ）は平面図である。
【発明を実施するための形態】
【００１４】
以下、本発明の実施の形態を添付図面を参照して説明する。
図１は、本発明の木ねじを示す図である。図３で説明した従来の木ねじ１０と共通する構成については、同じ符号を付して説明を省略する。以下に、相違点を中心として本発明の木ねじを説明する。
【００１５】
本発明の木ねじ２０は、軸体１１の一定の太さの部分と、テーパー状の先端部１１ｂとの境目にまたがって、第２のねじ山１５が形成されていることに特徴がある。この第２のねじ山１５は、軸体１１の太さが一定のところから、テーパー状の先端部１１ｂの途中までの間に形成されている。図１と、以下に説明する図２とにおいて、第２のねじ山１５をクロスハッチングして描いているのは、ねじ込み用ねじ山１４との区別を明確にするためである。
【００１６】
図２は、本発明の木ねじ２０について、ねじ込み用のねじ山１４と、第２のねじ山１５とを別々に描いたもので、（ａ）はねじ込み用のねじ山の図、（ｂ）は第２のねじ山の図、（ｃ）は両者を合成した本発明の木ねじ２０の要部拡大図である。
【００１７】
図２（ａ）に示すねじ込み用のねじ山１４は、図３で説明した通常のねじ山と同じである。軸体１１の径は、先端部１１ｂでは徐々に細くなるテーパー状であるが、図２（ｂ）に示す第２のねじ山１５は、軸体１１の径が一定の太さである径ｄの終端近くから、テーパー状の先端部１１ｂの途中までの間に形成されている。先端１１ａから図に示す長さｔの間には、第２のねじ山１５は形成されていない。この間には、ねじ込み用のねじ山１４のみが形成されている。
【００１８】
また、図２（ｂ）に示す第２のねじ山１５は、ねじ込み用のねじ山１４と比較してリード角が大きくなっている。すなわち、ねじ込み用のねじ山１４のリード角をθ１とし、第２のねじ山１５のリード角をθ２とした場合、θ１＜θ２の関係がある。このようにリード角を大きくすることによって、ねじ山の周囲の素材を切削し易くなっている。
【００１９】
また、ねじ込み用のねじ山１４の外径Ｄ１と、第２のねじ山１５の外径Ｄ２とを比較すると、Ｄ１＞Ｄ２の関係がある。第２のねじ山１５は、ＭＤＦなどの素材に螺合していくというよりも、切削しながら進んで行くものである。木ねじ２０が進行するのは、飽くまでねじ込み用のねじ山１４によるものである。したがって、第２のねじ山１５の外径Ｄ２が、ねじ込み用のねじ山１４の外径Ｄ１より大きいと、ねじ込み用ねじ山１４の螺合力が弱くなるから、第２のねじ山１５の径Ｄ２は、ねじ込み用のねじ山１４の径Ｄ１と同じか、或いは小さい関係となるようにしている。
【００２０】
このようなねじ込み用のねじ山１４と、第２のねじ山１５とを備えた木ねじ２０は、ねじ込み用のねじ山１４の溝を刻設したダイスに、第２のねじ山１５の溝を付加すれば、通常の転造で製造することができる。
【００２１】
本発明の実施例では、第２のねじ山１５は、先端１１ａからｔの位置までで、先端１１ａには達していない。これは、木ねじ２０をねじ込む際に、第２のねじ山１５が抵抗となってねじ込みを開始しにくくするからである。ただし、素材や木ねじ２０の径等によっては、抵抗が問題にならない場合もあるので、そのような場合には、先端１１ａまで第２のねじ山１５を形成してもよい。
【００２２】
次に、上記した実施例１の作用を説明する。
図１に示す本発明の木ねじ２０を、図４に示すように２枚のＭＤＦの板２１、２２を直角に配置し、ドライバ２３で押しつけながら、従来例で説明したのと同じようにして、回転させる。ＭＤＦの板２１には下穴を明けていない。木ねじ２０は、尖った先端１１ａがＭＤＦの板に押し付けられ、回転しているので、ねじ込み用のねじ山１４がＭＤＦの板２１に食い込み始め、ねじ込まれていく。図２（ｂ）に示す先端のｔがＭＤＦの板２１に入ると、第２のねじ山１５がＭＤＦの板２１に当たり始め、ＭＤＦの板２１を切削し始める。これにより、木ねじ２０のねじ込みは軽いトルクで進めることができる。
【００２３】
第２のねじ山１５は、木ねじ２０のテーパーの付いた先端部と、一定の径ｄの胴部の一部にしかないので、ＭＤＦの板２１、２２を切削し過ぎることはない。また、第２のねじ山１５でＭＤＦの組織を若干破壊するので、木ねじ２０は、ＭＤＦの板２１、２２に軽いトルクでねじ込まれる。そのため、ＭＤＦの板に加わる負荷も小さくなり、ＭＤＦの板が割れることもない。その結果、ＭＤＦの板２１、２２を固く結合させることができる。
【符号の説明】
【００２４】
１１      軸体
１１ａ    先端
１１ｂ    先端部
１２      頭部
１４      ねじ込み用のねじ山
１５      第２のねじ山
２０      木ねじ
２１      ＭＤＦの板
２２      ＭＤＦの板
２３      ドライバ
ｄ        軸体の径
Ｄ１       ねじ込み用ねじ山の外径
Ｄ２       第２ねじ山の外径
【図１】
2010185498.tif 000003
【図２】
2010185498.tif 000004
【図３】
2010185498.tif 000005
【図４】
2010185498.tif 000006